(57)【要約】【課題】装置本体に対するドラムカートリッジおよび現像カートリッジの装着を、誤りにくくすることができる画像形成装置を提供する。【解決手段】  画像形成装置１は、シャッター２３Ａを備える。シャッター２３Ａは、ドラムカートリッジ３および現像カートリッジ４が装置本体２から離脱されている状態で、現像カートリッジ４の装着を禁止するとともに、ドラムカートリッジ３の装着を許可する。シャッター２３Ａは、ドラムカートリッジ３が装置本体２に装着されている状態で、現像カートリッジ４の装着を許可する。【選択図】図２
2019020649.tif 000002
【特許請求の範囲】
【請求項１】
装置本体と、
前記装置本体に対して装着可能なドラムカートリッジと、
前記装置本体に対して装着可能な現像カートリッジと、
前記装置本体に取り付けられるシャッターと、を備え、
前記シャッターは、
前記ドラムカートリッジおよび前記現像カートリッジが前記装置本体から離脱されている状態で、前記現像カートリッジの装着を禁止するとともに、前記ドラムカートリッジの装着を許可する第１位置と、
前記ドラムカートリッジが前記装置本体に装着されている状態で、前記現像カートリッジの装着を許可する第２位置と、の間を移動可能であることを特徴とする、画像形成装置。
【請求項２】
前記シャッターは、前記第１位置と前記第２位置との間を、回動することを特徴とする、請求項１に記載の画像形成装置。
【請求項３】
前記シャッターは、前記第１位置と前記第２位置との間を、スライドすることを特徴とする、請求項１に記載の画像形成装置。
【請求項４】
前記装置本体および前記シャッターに接続され、前記装置本体に対して回動可能なアームを備え、
前記アームは、前記ドラムカートリッジが前記装置本体に装着されるときに前記ドラムカートリッジと接触する第１接触面を有することを特徴とする、請求項１から請求項３のいずれか一項に記載の画像形成装置。
【請求項５】
前記アームは、前記ドラムカートリッジが前記装置本体から離脱されるときに前記ドラムカートリッジと接触する第２接触面を有することを特徴とする、請求項４に記載の画像形成装置。
【請求項６】
前記アームの前記第１接触面および前記第２接触面は、平面であり、
前記第１接触面と、前記第２接触面とがなす角度は、９０°以上、１７０°以下であることを特徴とする、請求項５に記載の画像形成装置。
【請求項７】
さらに、前記シャッターが前記第２位置に位置するときに、前記シャッターが前記第１位置に向かう方向に向かって前記アームを押圧する押圧部材を備えることを特徴とする、請求項４から請求項６のいずれか一項に記載の画像形成装置。
【請求項８】
前記装置本体は、前記ドラムカートリッジが前記装置本体に装着されるときに、前記ドラムカートリッジをガイドするドラムガイドを有し、
前記アームの回動シャフトは、前記ドラムガイドと重ならないことを特徴とする、請求項４から請求項７のいずれか一項に記載の画像形成装置。
【請求項９】
前記装置本体は、前記現像カートリッジが前記装置本体に装着されるときに、前記現像カートリッジをガイドする現像ガイドを有し、
前記回動シャフトは、前記ドラムガイドと前記現像ガイドとの間に位置することを特徴とする、請求項８に記載の画像形成装置。
【請求項１０】
前記シャッターは、案内表示を表示するための表示部を有することを特徴とする、請求項１から請求項９のいずれか一項に記載の画像形成装置。
【請求項１１】
前記装置本体は、
前記ドラムカートリッジが前記装置本体に装着されるときに、前記ドラムカートリッジをガイドするドラムガイドと、
前記現像カートリッジが前記装置本体に装着されるときに、前記現像カートリッジをガイドする現像ガイドと、
前記ドラムガイドと前記現像ガイドとの間に位置するカバーであって、前記シャッターを覆うカバーと、を有することを特徴とする、請求項１から請求項９のいずれか一項に記載の画像形成装置。
【請求項１２】
前記シャッターは、
案内表示を表示するための第１表示部であって、前記シャッターが前記第１位置に位置するときに前記カバーから露出され、前記シャッターが前記第２位置に位置するときに前記カバーによって覆われる第１表示部と、
前記第１表示部とは異なる案内表示を表示するための第２表示部であって、前記シャッターが前記第２位置に位置するときに前記カバーから露出され、前記シャッターが前記第１位置に位置するときに前記カバーによって覆われる第２表示部と、
を有することを特徴とする、請求項１１に記載の画像形成装置。
【請求項１３】
装置本体と、
前記装置本体に対して装着可能なドラムカートリッジと、
前記装置本体に対して装着可能な現像カートリッジと、
前記ドラムカートリッジが前記装置本体に装着されるときに、前記ドラムカートリッジをガイドする第１ドラムガイドと、
前記ドラムカートリッジが前記装置本体に装着された状態で、感光ドラムの回転軸線が延びる軸線方向において、前記ドラムカートリッジに対して前記第１ドラムガイドの反対側に位置する第２ドラムガイドであって、前記ドラムカートリッジが前記装置本体に装着されるときに、前記第１ドラムガイドとともに前記ドラムカートリッジをガイドする第２ドラムガイドと、
前記現像カートリッジが前記装置本体に装着されるときに、前記現像カートリッジをガイドする第１現像ガイドと、
前記現像カートリッジが前記装置本体に装着された状態で、前記軸線方向において、前記現像カートリッジに対して前記第１現像ガイドの反対側に位置する第２現像ガイドであって、前記現像カートリッジが前記装置本体に装着されるときに、前記第１現像ガイドとともに前記現像カートリッジをガイドする第２現像ガイドと、
前記ドラムカートリッジおよび前記現像カートリッジが前記装置本体から離脱されている状態で、前記現像カートリッジの装着を禁止するとともに、前記ドラムカートリッジの装着を許可する第１位置と、前記ドラムカートリッジが前記装置本体に装着されている状態で、前記現像カートリッジの装着を許可する第２位置と、の間を移動可能である第１シャッターと、
前記ドラムカートリッジおよび前記現像カートリッジが前記装置本体から離脱されている状態で、前記現像カートリッジの装着を禁止するとともに、前記ドラムカートリッジの装着を許可する第３位置と、前記ドラムカートリッジが前記装置本体に装着されている状態で、前記現像カートリッジの装着を許可する第４位置と、の間を移動可能である第２シャッターと、
を備えることを特徴とする、画像形成装置。
【発明の詳細な説明】
【技術分野】
【０００１】
本発明は、画像形成装置に関する。
【背景技術】
【０００２】
従来、装置本体と、装置本体に装着可能なドラムカートリッジと、ドラムカートリッジとは独立して装置本体に装着可能な現像カートリッジとを備える画像形成装置が知られている（下記特許文献１参照）。
【先行技術文献】
【特許文献】
【０００３】
【特許文献１】特開２０１７−５８５１７号公報
【発明の概要】
【発明が解決しようとする課題】
【０００４】
しかし、上記特許文献１に記載される画像形成装置では、ドラムカートリッジおよび現像カートリッジが装置本体から離脱されている場合、ドラムカートリッジおよび現像カートリッジのどちらを先に装置本体に装着するべきか、ユーザが理解しにくい。
【０００５】
そのため、ユーザーは、装置本体に対するドラムカートリッジおよび現像カートリッジの装着を、誤りやすい。
【０００６】
そこで、本開示の目的は、装置本体に対するドラムカートリッジおよび現像カートリッジの装着を、誤りにくくすることができる画像形成装置を提供することにある。
【課題を解決するための手段】
【０００７】
本発明の画像形成装置は、装置本体と、ドラムカートリッジと、現像カートリッジと、シャッターとを備える。ドラムカートリッジは、装置本体に対して装着可能である。現像カートリッジは、装置本体に対して装着可能である。シャッターは、装置本体に取り付けられる。シャッターは、第１位置と、第２位置との間を移動可能である。シャッターは、第１位置において、ドラムカートリッジおよび現像カートリッジが装置本体から離脱されている状態で、現像カートリッジの装着を禁止するとともに、ドラムカートリッジの装着を許可する。シャッターは、第２位置において、ドラムカートリッジが装置本体に装着されている状態で、現像カートリッジの装着を許可する。
【０００８】
このような構成によれば、ドラムカートリッジおよび現像カートリッジが装置本体から離脱されているとき、シャッターは、第１位置に位置し、現像カートリッジの装着を禁止するとともに、ドラムカートリッジの装着を許可する。
【０００９】
これにより、ユーザーは、まず、ドラムカートリッジを装置本体に装着するということに、気付くことができる。
【００１０】
その後、ユーザーがドラムカートリッジを装置本体に装着すると、シャッターは、第２位置に位置し、現像カートリッジの装着を許可する。
【００１１】
これにより、ユーザーは、ドラムカートリッジを装置本体に装着した後に、現像カートリッジを装着することに、気付くことができる。
【００１２】
その結果、装置本体に対するドラムカートリッジおよび現像カートリッジの装着を、誤りにくくすることができる。
【発明の効果】
【００１３】
本発明の画像形成装置によれば、装置本体に対するドラムカートリッジおよび現像カートリッジの装着を、誤りにくくすることができる。
【図面の簡単な説明】
【００１４】
【図１】図１は、画像形成装置の概略構成である。
【図２】図２は、図１に示す装置本体およびシャッターを説明するための説明図であって、ドラムカートリッジおよび現像カートリッジが装置本体から離脱された状態を示す。
【図３】図３は、図２に示す装置本体の平面図である。
【図４】図４は、図２に示すシャッターの移動を説明するための説明図であって、ドラムカートリッジが装置本体に装着された状態を示す。
【図５】図５は、図４に示す装置本体の平面図である。
【図６】図６は、第２実施形態を説明する説明図であって、ドラムカートリッジおよび現像カートリッジが装置本体から離脱された状態を示す。
【図７】図７は、図６とともに第２実施形態を説明する説明図であって、ドラムカートリッジが装置本体に装着された状態を示す。
【図８】図８は、第３実施形態を説明する説明図であって、ドラムカートリッジおよび現像カートリッジが装置本体から離脱された状態を示す。
【図９】図９は、図８に示す装置本体の平面図である。
【図１０】図１０は、図８に示すシャッターの移動を説明するための説明図であって、、ドラムカートリッジが装置本体に装着された状態を示す。
【図１１】図１１は、図１０に示す装置本体の平面図である。
【発明を実施するための形態】
【００１５】
１．画像形成装置１の概略
以下、画像形成装置１の概略について説明する。
【００１６】
図１に示すように、画像形成装置１は、装置本体２と、ドラムカートリッジ３と、現像カートリッジ４とを備える。
【００１７】
１．１  装置本体２
装置本体２は、ドラムカートリッジ３および現像カートリッジ４を装置本体２に装着するための開口２Ａを有する。開口２Ａは、ドラムカートリッジ３が装置本体２に装着されるとき、および、現像カートリッジ４が装置本体２に装着されるときに、共通して使用される。装置本体２は、本体ケーシング１１と、カバー５と、レーザースキャンユニット６と、転写ローラ７と、定着器８と、給紙部９と、給紙トレイ１０とを備える。
【００１８】
本体ケーシング１１は、装置本体２の外装を構成する。本体ケーシング１１は、レーザースキャンユニット６、転写ローラ７、定着器８、給紙部９、給紙トレイ１０を収容する。また、本体ケーシング１１は、ドラムカートリッジ３および現像カートリッジ４が装置本体２に装着された状態で、ドラムカートリッジ３および現像カートリッジ４を収容する。本体ケーシング１１は、ボックス形状を有する。
【００１９】
カバー５は、開口２Ａを開放する開位置（図２参照）と、開口２Ａを閉鎖する閉位置（図１参照）との間を移動可能である。カバー５は、装置本体２の上端に位置するトップカバーである。カバー５は、閉位置に位置する状態で、レーザースキャンユニット６よりも上方に位置する。
【００２０】
レーザースキャンユニット６は、後述する感光ドラム１２の表面を露光するように構成される。レーザースキャンユニット６は、光Ｌを出射するための出射口６Ａを有する。出射口６Ａから出射された光Ｌは、後述する帯電ローラ１３の下方、かつ、現像カートリッジ４の上方を通って感光ドラム１２の表面に入射する。
【００２１】
転写ローラ７は、感光ドラム１２の表面に形成されたトナー像を用紙に転写するように構成される。転写ローラ７は、ドラムカートリッジ３が装置本体２に装着された状態で、感光ドラム１２の表面に接触する。
【００２２】
定着器８は、トナー像が転写された用紙を加熱および加圧して、用紙にトナー像を定着させるように構成される。定着器８を通過した用紙は、カバー５の上に排紙される。
【００２３】
給紙部９は、給紙トレイ１０内の用紙を、感光ドラム１２と転写ローラ７との間に供給するように構成される。
【００２４】
給紙トレイ１０は、用紙を収容するように構成される。
【００２５】
１．２  ドラムカートリッジ３
ドラムカートリッジ３は、開口２Ａを介して装置本体２に対して装着可能である。ドラムカートリッジ３は、感光ドラム１２と、帯電ローラ１３とを備える。
【００２６】
感光ドラム１２は、軸線方向に延びる回転軸線Ａについて回転可能である。感光ドラム１２は、回転軸線Ａに沿って延びるドラムシャフト１２Ａを備える。
【００２７】
帯電ローラ１３は、感光ドラム１２の表面を帯電するように構成される。帯電ローラ１３は、感光ドラム１２の表面に接触する。
【００２８】
１．３  現像カートリッジ４
現像カートリッジ４は、開口２Ａを介して装置本体２に対して装着可能である。現像カートリッジ４は、ドラムカートリッジ３とは独立して装置本体２に装着可能である。現像カートリッジ４は、トナーを収容する。現像カートリッジ４は、現像ローラ１４を備える。
【００２９】
現像ローラ１４は、感光ドラム１２にトナーを供給するように構成される。現像ローラ１４は、ドラムカートリッジ３と現像カートリッジ４とが装置本体２に装着された状態で、ドラムシャフト１２Ａよりも下方に位置する。言い換えると、ドラムカートリッジ３と現像カートリッジ４とが装置本体２に装着され、カバー５が閉位置に位置した状態で、カバー５と現像ローラ１４との上下方向距離は、カバー５とドラムシャフト１２Ａとの上下方向距離よりも長い。現像ローラ１４は、ドラムカートリッジ３と現像カートリッジ４とが装置本体２に装着された状態で、感光ドラム１２の表面に接触する。
【００３０】
２．装置本体２の詳細
次いで、装置本体２の詳細について説明する。
【００３１】
図２および図３に示すように、装置本体２は、サイドフレーム２０Ａと、サイドフレーム２０Ｂ（図３参照）と、ドラムガイド２１Ａと、ドラムガイド２１Ｂ（図３参照）と、現像ガイド２２Ａと、現像ガイド２２Ｂ（図３参照）とを備える。
【００３２】
２．１  サイドフレーム２０Ａ
サイドフレーム２０Ａは、本体ケーシング１１内に位置する。サイドフレーム２０Ａは、上下方向に延びる。サイドフレーム２０Ａは、軸線方向において、内面Ｓ１と、外面Ｓ２とを有する。外面Ｓ２は、ドラムカートリッジ３（図５参照）が装置本体２に装着された状態で、軸線方向において、内面Ｓ１に対して、ドラムカートリッジ３の反対側に位置する。
【００３３】
２．２  サイドフレーム２０Ｂ
図３に示すように、サイドフレーム２０Ｂは、ドラムカートリッジ３（図５参照）が装置本体２に装着された状態で、軸線方向において、ドラムカートリッジ３に対して、サイドフレーム２０Ａの反対側に位置する。サイドフレーム２０Ａは、本体ケーシング１１内に位置する。サイドフレーム２０Ｂは、サイドフレーム２０Ａと同様に、上下方向に延び、内面Ｓ１と、外面Ｓ２とを有する。
【００３４】
２．３  ドラムガイド２１Ａ
ドラムガイド２１Ａは、ドラムカートリッジ３が装置本体２に装着されるときに、ドラムカートリッジ３をガイドする。ドラムガイド２１Ａは、サイドフレーム２０Ａの内面Ｓ１に位置する。図２に示すように、ドラムガイド２１Ａは、ドラム装着方向に延びる。ドラム装着方向は、ドラムカートリッジ３が装置本体２に装着されるときに、ドラムカートリッジ３が移動する方向である。ドラムガイド２１Ａは、ドラム装着方向において、上流端Ｅ１と下流端Ｅ２とを有する。上流端Ｅ１は、カバー５が閉位置に位置する状態で、ドラム装着方向において、カバー５と下流端Ｅ２との間に位置する。下流端Ｅ２は、水平方向において、転写ローラ７とレーザースキャンユニット６との間に位置する。
【００３５】
２．４  ドラムガイド２１Ｂ
図３に示すドラムガイド２１Ｂは、ドラムカートリッジ３（図５参照）が装置本体２に装着されるときに、ドラムガイド２１Ａとともに、ドラムカートリッジ３をガイドする。ドラムガイド２１Ｂは、ドラムカートリッジ３（図５参照）が装置本体２に装着された状態で、軸線方向において、ドラムカートリッジ３に対して、ドラムガイド２１Ａの反対側に位置する。具体的には、ドラムガイド２１Ｂは、サイドフレーム２０Ｂの内面Ｓ１に位置する。ドラムガイド２１Ｂは、ドラムガイド２１Ａと同じ方向に延びる。また、ドラムガイド２１Ｂは、ドラムガイド２１Ａと同じ形状を有する。
【００３６】
２．５  現像ガイド２２Ａ
現像ガイド２２Ａは、現像カートリッジ４（図１参照）が装置本体２に装着されるときに、現像カートリッジ４をガイドする。現像ガイド２２Ａは、サイドフレーム２０Ａの内面Ｓ１に位置する。図２に示すように、現像ガイド２２Ａは、ドラムガイド２１Ａとレーザースキャンユニット６との間に位置する。現像ガイド２２Ａは、現像装着方向に延びる。現像装着方向は、現像カートリッジ４が装置本体２に装着されるときに、現像カートリッジ４が移動する方向である。現像ガイド２２Ａの長さは、ドラムガイド２１Ａの長さよりも長い。現像ガイド２２Ａは、現像装着方向において、上流端Ｅ１１と下流端Ｅ１２とを有する。上流端Ｅ１１は、カバー５が閉位置に位置する状態で、現像装着方向において、カバー５と下流端Ｅ１２との間に位置する。下流端Ｅ１２は、ドラムガイド２１Ａの下流端Ｅ２よりも下方に位置する。
【００３７】
２．６  現像ガイド２２Ｂ
図３に示す現像ガイド２２Ｂは、現像カートリッジ４（図１参照）が装置本体２に装着されるときに、現像ガイド２２Ａとともに、現像カートリッジ４をガイドする。現像ガイド２２Ｂは、現像カートリッジ４が装置本体２に装着された状態で、軸線方向において、現像カートリッジ４に対して、現像ガイド２２Ａの反対側に位置する。具体的には、現像ガイド２２Ｂは、サイドフレーム２０Ｂの内面Ｓ１に位置する。現像ガイド２２Ｂは、現像ガイド２２Ａと同じ方向に延びる。また、現像ガイド２２Ｂは、現像ガイド２２Ａと同じ形状を有する。
【００３８】
３．画像形成装置１の詳細
図２および図３に示すように、画像形成装置１は、さらに、シャッター２３Ａと、シャッター２３Ｂ（図３参照）と、アーム２４Ａと、アーム２４Ｂ（図３参照）と、押圧部材２５Ａ（図３参照）と、押圧部材２５Ｂ（図３参照）とを備える。
【００３９】
３．１  シャッター２３Ａ
シャッター２３Ａは、ドラムカートリッジ３および現像カートリッジ４が装置本体から離脱されている状態で、現像カートリッジ４の装着を禁止するとともに、ドラムカートリッジ３の装着を許可する。このときのシャッター２３Ａの位置が、第１位置である。詳しくは、シャッター２３Ａは、第１位置に位置する状態で、現像装着方向から見て、現像ガイド２２Ａを閉鎖する。これにより、シャッター２３Ａは、第１位置に位置する状態で、現像カートリッジ４の装着を禁止する。また、シャッター２３Ａは、第１位置に位置する状態で、ドラム装着方向から見て、ドラムガイド２１Ａを開放する。これにより、シャッター２３Ａは、第１位置に位置する状態で、ドラムカートリッジ３の装着を許可する。
【００４０】
また、図４および図５に示すように、シャッター２３Ａは、ドラムカートリッジ３が装置本体２に装着されている状態で、現像カートリッジ４の装着を許可する。このときのシャッター２３Ａの位置が、第２位置である。すなわち、シャッター２３Ａは、第１位置と第２位置との間を移動可能である。詳しくは、シャッター２３Ａは、第２位置に位置する状態で、現像装着方向から見て、現像ガイド２２Ａを開放する。これにより、シャッター２３Ａは、第２位置に位置する状態で、現像カートリッジ４の装着を許可する。また、シャッター２３Ａは、第２位置に位置する状態で、ドラム装着方向から見て、ドラムガイド２１Ａを閉鎖する。なお、シャッター２３Ａは、第２位置に位置する状態で、ドラム装着方向から見て、ドラムガイド２１Ａを閉鎖しなくてもよい。
【００４１】
図３に示すように、シャッター２３Ａは、アーム２４Ａを介して、装置本体２に取り付けられる。詳しくは、シャッター２３Ａは、アーム２４Ａを介して、サイドフレーム２０Ａに取り付けられる。シャッター２３Ａは、第１位置に位置する状態で、現像装着方向と交差する方向に延びる。シャッター２３Ａは、平板形状を有する。シャッター２３Ａは、表示部２６を有する。
【００４２】
表示部２６は、案内表示を表示する。表示部２６は、シャッター２３Ａの一部である。詳しくは、図２に示すように、シャッター２３Ａは、面Ｓ１１と、面Ｓ１２とを有する。面Ｓ１２は、シャッター２３Ａが第１位置に位置する状態で、現像装着方向において、現像ガイド２２Ａの下流端Ｅ１２と面Ｓ１１との間に位置する。図３に示すように、表示部２６は、シャッター２３Ａの面Ｓ１１の一部である。表示部２６には、案内表示として、例えば、「閉」の文字が記載される。これにより、シャッター２３Ａが第１位置に位置するときには、ユーザーは、現像ガイド２２Ａが閉じていると理解できる。また、図５に示すように、シャッター２３Ａが第２位置に位置するときには、ユーザーは、ドラムガイド２１Ａが閉じていると理解できる。
【００４３】
３．２  シャッター２３Ｂ
図３に示すように、シャッター２３Ｂは、シャッター２３Ａと同様に、ドラムカートリッジ３および現像カートリッジ４が装置本体２から離脱されている状態で、現像カートリッジ４の装着を禁止するとともに、ドラムカートリッジ３の装着を許可する。このときのシャッター２３Ｂの位置が、第３位置である。詳しくは、シャッター２３Ｂは、第３位置に位置する状態で、現像装着方向から見て、現像ガイド２２Ｂを閉鎖する。これにより、シャッター２３Ｂは、第３位置に位置する状態で、第１位置に位置するシャッター２３Ａとともに、現像カートリッジ４の装着を禁止する。また、シャッター２３Ｂは、第３位置に位置する状態で、ドラム装着方向から見て、ドラムガイド２１Ｂを開放する。これにより、シャッター２３Ｂは、ドラムカートリッジ３の装着を許可する。
【００４４】
また、図５に示すように、シャッター２３Ｂは、ドラムカートリッジ３が装置本体２に装着されている状態で、現像カートリッジ４の装着を許可する。このときのシャッター２３Ｂの位置が、第４位置である。すなわち、シャッター２３Ｂは、第３位置と、第４位置との間を移動可能である。詳しくは、シャッター２３Ｂは、第４位置に位置する状態で、現像装着方向から見て、現像ガイド２２Ｂを開放する。これにより、シャッター２３Ｂは、現像カートリッジ４の装着を許可する。なお、シャッター２３Ｂは、第４位置に位置する状態で、ドラム装着方向から見て、ドラムガイド２１Ｂを閉鎖する。
【００４５】
シャッター２３Ｂは、シャッター２３Ａと同じ形状を有する。シャッター２３Ｂは、アーム２４Ｂを介して、装置本体２に取り付けられる。
【００４６】
３．３  アーム２４Ａ
図３に示すように、アーム２４Ａは、シャッター２３Ａを支持する。アーム２４Ａは、装置本体２に取り付けられる。詳しくは、アーム２４Ａは、軸線方向において、ドラムガイド２１Ａおよび現像ガイド２２Ａよりも外側に位置する。アーム２４Ａは、軸線方向において、サイドフレーム２０Ａの外面Ｓ２に取り付けられる。アーム２４Ａは、装置本体２に対して回動可能である。これにより、シャッター２３Ａは、第１位置と第２位置との間を、回動する。詳しくは、アーム２４Ａは、回動シャフト２７Ａと、ロッド２８Ａと、ロッド２９Ａとを有する。
【００４７】
回動シャフト２７Ａは、サイドフレーム２０Ａに回動可能に取り付けられる。これにより、アーム２４Ａは、装置本体２に接続される。回動シャフト２７Ａは、軸線方向に延びる。回動シャフト２７Ａは、円柱形状を有する。回動シャフト２７Ａは、図２に示すように、軸線方向に見て、ドラムガイド２１Ａと重ならない。回動シャフト２７Ａは、ドラムガイド２１Ａと現像ガイド２２Ａとの間に位置する。
【００４８】
図２および図３に示すように、ロッド２８Ａは、シャッター２３Ａと回動シャフト２７Ａとを接続する。ロッド２８Ａは、シャッター２３Ａと回動シャフト２７Ａとの間に位置する。ロッド２８Ａは、回動シャフト２７Ａの径方向に延びる。ロッド２８Ａの一端は、シャッター２３Ａに接続される。すなわち、アーム２４Ａは、シャッター２３Ａに接続される。ロッド２８Ａの他端は、回動シャフト２７Ａに接続される。
【００４９】
ロッド２９Ａは、回動シャフト２７Ａから延びる。詳しくは、ロッド２９Ａは、ドラムカートリッジ３が装置本体２から離脱されている状態で、回動シャフト２７Ａから、ドラムガイド２１Ａの下流端Ｅ２へ向かって延びる。
【００５０】
ロッド２９Ａは、接触面３０Ａを有する。接触面３０Ａは、ドラムカートリッジ３が装置本体２から離脱された状態で、サイドフレーム２０Ａの開口３１を介して、ドラムガイド２１Ａの下流端Ｅ２内に位置する。接触面３０Ａは、ドラムカートリッジ３が装置本体２から離脱された状態で、ドラム装着方向と交差する。接触面３０Ａは、平面である。接触面３０Ａは、図５に示すように、ドラムカートリッジ３が装置本体２に装着されるときに、ドラムカートリッジ３と接触する。詳しくは、接触面３０Ａは、ドラムカートリッジ３が装置本体２に装着されるときに、ドラムカートリッジ３の一部と接触する。具体的には、接触面３０Ａは、ドラムカートリッジ３が装置本体２に装着されるときに、ドラムシャフト１２Ａと接触する。接触面３０Ａにドラムシャフト１２Ａが接触することにより、アーム２４Ａは、押圧部材２５Ａの押圧力に抗して、シャッター２３Ａが第１位置から第２位置へ移動する方向へ向かって、回動する。これにより、ドラムカートリッジ３が装置本体２に装着された状態で、シャッター２３Ａは、第２位置に位置する。
【００５１】
３．４  アーム２４Ｂ
図３に示すように、アーム２４Ｂは、シャッター２３Ｂを支持する。アーム２４Ｂは、軸線方向において、ドラムガイド２１Ｂおよび現像ガイド２２Ｂよりも外側に位置する。アーム２４Ｂは、軸線方向において、サイドフレーム２０Ｂの外面Ｓ２に取り付けられる。アーム２４Ｂは、アーム２４Ａと同じ形状を有する。すなわち、アーム２４Ｂは、回動シャフト２７Ｂと、ロッド２８Ｂと、ロッド２９Ｂとを有する。回動シャフト２７Ｂは、回動シャフト２７Ａと同じ形状を有する。ロッド２８Ｂは、ロッド２８Ａと同じ形状を有する。ロッド２９Ｂは、ロッド２９Ａと同じ形状を有する。ロッド２９Ｂは、接触面３０Ｂを有する。接触面３０Ｂは、接触面３０Ａと同じ形状を有する。回動シャフト２７Ｂ、ロッド２８Ｂ、ロッド２９Ｂおよび接触面３０Ｂの説明は、回動シャフト２７Ａ、ロッド２８Ａ、ロッド２９Ａおよび接触面３０Ａと同様の説明となるため、省略する。ドラムカートリッジ３が装置本体２に装着されるときに、アーム２４Ｂの接触面３０Ｂに、ドラムシャフト１２Ａが接触することにより、アーム２４Ｂは、押圧部材２５Ｂの押圧力に抗して、シャッター２３Ｂが第３位置から第４位置へ移動する方向へ向かって、回動する。これにより、ドラムカートリッジ３が装置本体２に装着された状態で、シャッター２３Ｂは、第４位置に位置する。
【００５２】
３．５  押圧部材２５Ａ
図５に示すように、押圧部材２５Ａは、シャッター２３Ａが第２位置に位置するときに、シャッター２３Ａが第１位置に向かう方向に向かって、アーム２４Ａを押圧する。これにより、ドラムカートリッジ３が装置本体２から離脱されたときに、アーム２４Ａが、押圧部材２５Ａの押圧力によって、シャッター２３Ａが第１位置に向かう方向に回動するとともに、シャッター２３Ａが、第２位置から第１位置に向かって移動する。押圧部材２５Ａは、具体的には、トーションばねである。押圧部材２５Ａの一端は、サイドフレーム２０Ａに接触する。押圧部材２５Ａの他端は、アーム２４Ａに接触する。
【００５３】
３．６  押圧部材２５Ｂ
押圧部材２５Ｂは、シャッター２３Ｂが第４位置に位置するときに、シャッター２３Ｂが第３位置に向かう方向に向かって、アーム２４Ｂを押圧する。これにより、ドラムカートリッジ３が装置本体２から離脱されたときに、アーム２４Ｂが、押圧部材２５Ｂの押圧力によって、シャッター２３Ｂが第３位置に向かう方向に回動するとともに、シャッター２３Ｂが、第４位置から第３位置に向かって移動する。押圧部材２５Ｂは、具体的には、トーションばねである。押圧部材２５Ｂの一端は、サイドフレーム２０Ｂに接触する。押圧部材２５Ｂの他端は、アーム２４Ｂに接触する。
【００５４】
４．作用効果
画像形成装置１によれば、図２および図３に示すように、ドラムカートリッジ３および現像カートリッジ４が装置本体２から離脱されている場合、シャッター２３Ａは、第１位置に位置し、現像カートリッジ４の装着を禁止するとともに、ドラムカートリッジ３の装着を許可する。
【００５５】
これにより、ユーザーは、まず、ドラムカートリッジ３を装置本体２に装着するということに、気付くことができる。
【００５６】
その後、図４および図５に示すように、ユーザーがドラムカートリッジ３を装置本体２に装着すると、シャッター２３Ａは、第２位置に位置し、現像カートリッジ４の装着を許可する。
【００５７】
これにより、ユーザーは、ドラムカートリッジ３を装置本体２に装着した後に、現像カートリッジ４を装着することに、気付くことができる。
【００５８】
その結果、装置本体２に対するドラムカートリッジ３および現像カートリッジ４の装着を、誤りにくくすることができる。
【００５９】
５．第２実施形態
以下、図６および図７を参照して、第２実施形態について説明する。第２実施形態において、第１実施形態と同じ部材には同じ符号を付し、その説明を省略する。
【００６０】
第２実施形態では、アーム４１Ａは、接触面４２Ａと、接触面４２Ｂとを有する。
【００６１】
接触面４２Ａは、第１実施形態の接触面３０と同様に、ドラムカートリッジ３が装置本体２に装着されるときに、ドラムカートリッジ３と接触する。
【００６２】
接触面４２Ｂは、ドラムカートリッジ３が装置本体２から離脱されるときに、ドラムカートリッジ３と接触する。詳しくは、接触面４２Ｂは、ドラムカートリッジ３が装置本体２から離脱されるときに、ドラムカートリッジ３の一部と接触する。具体的には、接触面４２Ｂは、ドラムカートリッジ３が装置本体２から離脱されるときに、ドラムシャフト１２Ａと接触する。接触面４２Ｂにドラムシャフト１２Ａが接触することにより、アーム４１Ａは、シャッター２３Ａが第１位置から第２位置へ移動する方向へ向かって、回動する。これにより、ドラムカートリッジ３が装置本体２から離脱するときに、シャッター２３Ａを、円滑に、第１位置から第２位置へ移動させることができる。接触面４２Ｂは、ロッド２８Ａの一部である。接触面４２Ｂは、ドラムカートリッジ３が装置本体２から離脱された状態で、サイドフレーム２０Ａの開口４３を介して、ドラムガイド２１Ａ内に位置する。接触面４２Ｂは、ドラムカートリッジ３が装置本体２に装着された状態で、ドラムカートリッジ３が装置本体２から離脱される方向と交差する。接触面４２Ｂは、平面である。接触面４２Ａと、接触面４２Ｂとがなす角度θは、９０°以上、１７０°以下である。
【００６３】
なお、第２実施形態では、図示しないが、サイドフレーム２０Ｂに取り付けられるアームも、アーム４１Ａと同じ形状を有する。
【００６４】
第２実施形態においても、第１実施形態と同様の作用効果を得ることができる。
【００６５】
６．第３実施形態
以下、図８から図１１を参照して、第３実施形態について説明する。第３実施形態において、第１実施形態と同じ部材には同じ符号を付し、その説明を省略する。
【００６６】
第３実施形態では、図８および図９に示すように、画像形成装置１は、シャッター５１Ａと、カバー５３Ａと、引張部材５２Ａとを備える。
【００６７】
シャッター５１Ａは、第１位置（図８参照）と第２位置（図１０参照）との間を、スライドする。シャッター５１Ａは、第１位置（図８参照）と第２位置（図１０参照）との間を、直線的に移動する。シャッター５１Ａは、シャッター５１Ａのスライド方向に延びる。シャッター５１Ａは、ドラム装着方向および現像装着方向と交差する方向に延びる。シャッター５１Ａは、平板形状を有する。シャッター５１Ａは、表示部５４と、表示部５５とを有する。表示部５４および表示部５５のそれぞれは、案内表示を表示する。表示部５５は、表示部５４とは異なる案内表示を表示してもよい。
【００６８】
図９に示すように、カバー５３Ａは、シャッター５１Ａを覆う。カバー５３Ａは、シャッター５１Ａの一部を覆う。カバー５３Ａは、ドラムガイド２１Ａと現像ガイド２２Ａとの間に位置する。カバー５３Ａは、シャッター５１Ａが第１位置に位置するときに、表示部５５を覆う。このとき、表示部５４は、カバー５３Ａから露出される。また、図１１に示すように、カバー５３Ａは、シャッター５１Ａが第２位置に位置するときに、表示部５４を覆う。このとき、表示部５５は、カバー５３Ａから露出される。
【００６９】
引張部材５２Ａは、第２位置に位置するシャッター５１Ａを第１位置に向かって引っ張る。具体的には、引張部材５２Ａは、引張コイルバネである。詳しくは、シャッター５１Ａは、シャッター５１Ａが第１位置から第２位置へ移動する移動方向において、上流端Ｅ２１と下流端Ｅ２２とを有する。引張部材５２Ａの一端は、シャッター５１Ａの上流端Ｅ２１に取り付けられる。引張部材５２Ａの他端は、サイドフレーム２０Ａに取り付けられる。
【００７０】
また、第３実施形態では、図８および図９に示すように、画像形成装置１は、シャッター５１Ａと同じ形状を有するシャッター５１Ｂと、カバー５３Ａと同じ形状を有するカバー５３Ｂと、引張部材５２Ａと同じ形状を有する引張部材５２Ｂとを備える。
【００７１】
シャッター５１Ｂは、第３位置（図８参照）と第４位置（図１０参照）との間を、スライドする。
【００７２】
カバー５３Ｂは、シャッター５１Ｂを覆う。カバー５３Ｂは、シャッター５１Ｂの一部を覆う。カバー５３Ｂは、ドラムガイド２１Ｂと現像ガイド２２Ｂとの間に位置する。カバー５３Ｂは、シャッター５１Ｂが第３位置に位置するときに、カバー５３Ｂの表示部５５を覆う。このとき、カバー５３Ｂの表示部５４は、カバー５３Ｂから露出される。また、図１１に示すように、カバー５３Ｂは、シャッター５１Ｂが第４位置に位置するときに、カバー５３Ｂの表示部５４を覆う。このとき、カバー５３Ｂの表示部５５は、カバー５３Ｂから露出される。
【００７３】
引張部材５２Ｂは、第４位置に位置するシャッター５１Ｂを第３位置に向かって引っ張る。
【００７４】
第３実施形態においても、第１実施形態と同様の作用効果を得ることができる。
【符号の説明】
【００７５】
１        画像形成装置
２        装置本体
３        ドラムカートリッジ
４        現像カートリッジ
１２      感光ドラム
２１Ａ    ドラムガイド
２１Ｂ    ドラムガイド
２２Ａ    現像ガイド
２２Ｂ    現像ガイド
２３Ａ    シャッター
２３Ｂ    シャッター
２４Ａ    アーム
２５Ａ    押圧部材
２６      表示部
３０      接触面
４１Ａ    アーム
４２Ａ    接触面
４２Ｂ    接触面
５１Ａ    シャッター
５１Ｂ    シャッター
５３Ａ    カバー
５４      表示部
５５      表示部
Ａ        回転軸線
θ        角度
【図１】
2019020649.tif 000003
【図２】
2019020649.tif 000004
【図３】
2019020649.tif 000005
【図４】
2019020649.tif 000006
【図５】
2019020649.tif 000007
【図６】
2019020649.tif 000008
【図７】
2019020649.tif 000009
【図８】
2019020649.tif 000010
【図９】
2019020649.tif 000011
【図１０】
2019020649.tif 000012
【図１１】
2019020649.tif 000013